(57)【特許請求の範囲】
【請求項１】
略中央に第１軸孔を形成した中央枢着部と、該中央枢着部の一端から基端側に延出する基端アームと、該基端アームの先端に形成されて第２軸孔を形成した基端枢着部と、前記中央枢着部の他端から先端側に延出し先端にレーキ部が形成された先端アームとからなるフィルタープレートであって、
該フィルタープレートの第１軸孔と他のフィルタープレートの第２軸孔とを交互に重ね合わせ、塵芥除去装置に無端に連結されて循環動する一対の搬送チェーン間に掛け渡された多数の連結軸を枢着して無端帯状のフィルタープレート群を形成しうるフィルタープレートにおいて、
前記中央枢着部および基端枢着部が、それぞれ設けられた同一径の内周からなる取付孔と、該取付孔に隙間無く嵌合する同一径の外周に設定された金属製の補強リングと、該補強リング内に嵌着されて外周を同一に設定したプラスチック製の軸孔形成リングとからなり、
該軸孔形成リングが、第１軸孔を形成した一方の軸孔形成リングと、第２軸孔を形成した他方の軸孔形成リングとからなって、
前記第１軸孔と第２軸孔のいずれか一方の軸孔を、そこに嵌挿する連結軸の大きさより少なくともチェーン牽引方向に長く形成し、他方を連結軸を嵌挿しうる円形の孔に形成してなることを特徴とするフィルタープレート。
【請求項２】
前記第１軸孔または第２軸孔のいずれか一方の軸孔が、連結軸の大きさよりチェーンによる牽引方向に直交する方向に長い略楕円形状からなっていることを特徴とする請求項１に記載のフィルタープレート。
【請求項３】
略中央に第１軸孔を形成した中央枢着部と、該中央枢着部の一端から基端側に延出する基端アームと、該基端アームの先端に形成されて第２軸孔を形成した基端枢着部と、前記中央枢着部の他端から先端側に延出し先端にレーキ部が形成された先端アームとからなるフィルタープレートを具備し、
前記フィルタープレートの第１軸孔と他のフィルタープレートの第２軸孔とを交互に重ね合わせると共に、塵芥除去装置に無端に連結されて循環動する一対の搬送チェーン間に掛け渡された多数の連結軸を枢着して無端帯状のフィルタープレート群を形成し、該無端帯状のフィルタープレート群を前記搬送チェーンによって循環動してなるコンベヤ構成の塵芥除去装置において、
前記フィルタープレートの中央枢着部および基端枢着部が、それぞれ設けられた同一径の内周からなる取付孔と、該取付孔に隙間無く嵌合する同一径の外周に設定された金属製の補強リングと、該補強リング内に嵌着されて外周を同一に設定したプラスチック製の軸孔形成リングとからなり、
該軸孔形成リングが、第１軸孔を形成した一方の軸孔形成リングと、第２軸孔を形成した他方の軸孔形成リングとからなって、
前記第１軸孔と第２軸孔のいずれか一方の軸孔を、そこに嵌挿する連結軸の大きさより少なくともチェーン牽引方向に長く形成し、他方を連結軸を嵌挿しうる円形の孔に形成して、前記搬送チェーンの伸張に対応しうることを特徴とする塵芥除去装置。
【請求項４】
前記第１軸孔または第２軸孔のいずれか一方の軸孔が、連結軸の大きさよりチェーンによる牽引方向に直交する方向に長い略楕円形状からなっていることを特徴とする請求項３に記載の塵芥除去装置。
【発明の詳細な説明】
【０００１】
【発明の属する技術分野】
この発明はフィルタープレートおよびこれを用いた塵芥除去装置の改良に関する。
【０００２】
【従来の技術】
従来、この種のフィルタープレートを用いた塵芥除去装置として、特開昭４９−９５４４３号、特開昭５１−７０９４２号または特開昭５１−７０９４２号の水流中の塵芥除去装置、あるいは実開平２−７８６２５号の塵芥除去装置などが知られている。
この塵芥除去装置では、略中央に第１軸孔を形成した中央枢着部と、該中央枢着部の一端から基端側に延出する基端アームと、該基端アームの先端に形成されて第２軸孔を形成した基端枢着部と、前記中央枢着部の他端から先端側に延出し先端にレーキ部が形成された先端アームとからなるフィルタープレートを具備し、前記フィルタープレートの第１軸孔と他のフィルタープレートの第２軸孔とを交互に重ね合わせると共に、多数の連結軸で枢着して無端帯状のフィルタープレート群を形成し、該無端帯状のフィルタープレート群を循環動する構成が知られている。
この塵芥除去装置によれば、フィルタープレートに穿設された第１軸孔と第２軸孔は、連結軸に対応した円形の孔からなっており、その間隔も一定となっている。
このフィルタープレート群は、その両側に設けられた搬送チェーンにより循環駆動しており、この搬送チェーンのリンクを連結する連結軸と同軸に形成された連結軸が前記フィルタープレートを２点で枢着して、コーナー個所でフィルタープレートが枢動して所定の動作を行いうるように形成されている。
しかし、搬送速度を早くするとフィルタープレートと搬送チェーンのずれが生じ連結軸が変位するが、フィルタープレートの第１軸孔と第２軸孔との中心間の間隔が搬送チェーンの各リンクに一対に設けられた軸孔の中心間の間隔と同一のため、連結軸がフィルタープレートにも強く押しつけられフィルタープレートが搬送チェーンと同一の動きをしてしまうので、搬送チェーンの循環駆動に従属するフィルタープレートの円滑な動きが封じられてしまい、搬送速度を早めることができなかった。
また、搬送チェーンが伸びることによりフィルタープレートが輪送チェーンの機能を分担してしまい、強い張力がフィルタープレートにかかって破損することが多くありフィルタープレートの煩雑な取替作業となると共にコストアップが余儀なくされた。
【０００３】
【発明が解決しようとする課題】
この発明は、上記事情に鑑みて創案したものであって、その主たる課題は、フィルタープレートが搬送チェーンに対して常に従動するようにして、搬送速度を早くしてもフィルタープレートに余計な負荷がかからず円滑な動きをすることができるようにしたフィルタープレートおよびこれを用いた除塵除去装置を提供することにある。
【０００４】
【課題を解決するための手段】
前記課題を達成するために、請求項１のフィルタープレートの発明では、
略中央に第１軸孔を形成した中央枢着部と、該中央枢着部の一端から基端側に延出する基端アームと、該基端アームの先端に形成されて第２軸孔を形成した基端枢着部と、前記中央枢着部の他端から先端側に延出し先端にレーキ部が形成された先端アームとからなるフィルタープレートであって、
該フィルタープレートの第１軸孔と他のフィルタープレートの第２軸孔とを交互に重ね合わせ、塵芥除去装置に無端に連結されて循環動する一対の搬送チェーン間に掛け渡された多数の連結軸を枢着して無端帯状のフィルタープレート群を形成しうるフィルタープレートにおいて、
前記中央枢着部および基端枢着部が、それぞれ設けられた同一径の内周からなる取付孔と、該取付孔に隙間無く嵌合する同一径の外周に設定された金属製の補強リングと、該補強リング内に嵌着されて外周を同一に設定したプラスチック製の軸孔形成リングとからなり、
該軸孔形成リングが、第１軸孔を形成した一方の軸孔形成リングと、第２軸孔を形成した他方の軸孔形成リングとからなって、
前記第１軸孔と第２軸孔のいずれか一方の軸孔を、そこに嵌挿する連結軸の大きさより少なくともチェーン牽引方向に長く形成し、他方を連結軸を嵌挿しうる円形の孔に形成してなることを特徴とする。
また請求項２の発明では、
前記第１軸孔または第２軸孔のいずれか一方の軸孔が、連結軸の大きさよりチェーンによる牽引方向に直交する方向に長い略楕円形状からなっている、という技術的手段を講じている。
【０００５】
請求項３の塵芥除去装置の発明では、
略中央に第１軸孔を形成した中央枢着部と、該中央枢着部の一端から基端側に延出する基端アームと、該基端アームの先端に形成されて第２軸孔を形成した基端枢着部と、前記中央枢着部の他端から先端側に延出し先端にレーキ部が形成された先端アームとからなるフィルタープレートを具備し、
前記フィルタープレートの第１軸孔と他のフィルタープレートの第２軸孔とを交互に重ね合わせると共に、塵芥除去装置に無端に連結されて循環動する一対の搬送チェーン間に掛け渡された多数の連結軸を枢着して無端帯状のフィルタープレート群を形成し、該無端帯状のフィルタープレート群を前記搬送チェーンによって循環動してなるコンベヤ構成の塵芥除去装置において、
前記フィルタープレートの中央枢着部および基端枢着部が、それぞれ設けられた同一径の内周からなる取付孔と、該取付孔に隙間無く嵌合する同一径の外周に設定された金属製の補強リングと、該補強リング内に嵌着されて外周を同一に設定したプラスチック製の軸孔形成リングとからなり、
該軸孔形成リングが、第１軸孔を形成した一方の軸孔形成リングと、第２軸孔を形成した他方の軸孔形成リングとからなって、
前記第１軸孔と第２軸孔のいずれか一方の軸孔を、そこに嵌挿する連結軸の大きさより少なくともチェーン牽引方向に長く形成し、他方を連結軸を嵌挿しうる円形の孔に形成して、前記搬送チェーンの伸張に対応しうることを特徴とする。
請求項４の発明では、
前記第１軸孔または第２軸孔のいずれか一方の軸孔が、連結軸の大きさよりチェーンによる牽引方向に直交する方向に長い略楕円形状からなっていることを特徴とする。
【０００６】
【発明の実施の形態】
以下に、この発明のフィルタープレートおよびこれを用いた塵芥除去装置の好適実施例を図面を参照して説明する。
このフィルタープレート１は、図１および図２に示す参考例のように、硬質のプラスチック材からなっているが、用途に応じて鋼板等で成形されていてもよく、プレート略中央に第１軸孔Ｈ１を形成した中央枢着部１０を有している。
【０００７】
この中央枢着部１０の一端から基端側には基端アーム２が延出しており、該基端アーム２の端部には第２軸孔Ｈ２を設けた基端枢着部２０が形成されている。
一方、前記中央枢着部１０の他端から先端側には先端アーム３が延出しており、該先端アーム３の端部にはレーキ部４が形成されている。
【０００８】
また、中央枢着部１０の両面上には該中央枢着部１０を中心に厚み方向両側に突出する突起部５が形成されている。
この突起部５の両側には、基端側に、前後にずらして重ね合わせる前方のフィルタープレート１のレーキ部４の縁部に沿った湾曲状の壁面からなり、該レーキ部４の背面に付着した塵芥等を掻き落とす湾曲状の掻落し壁部６が形成されており、先端側には後方のフィルタープレート１の基端枢着部２０の外壁部を受けて位置決めする断面円弧状の受壁部７が形成されている。
【０００９】
次に、基端アーム２は前記中央枢着部１０の一端から突出しており、その端部には円柱状の基端枢着部２０が一体に取り付けられている。
この基端枢着部２０には、その中央部に第２軸孔Ｈ２が穿設されている。
なお、図示例では、前記中央枢着部１０と基端枢着部２０とは同一径で同じ横幅の略同一形状に設定してある。
【００１０】
本実施例の場合、第１軸孔Ｈ１は円孔からなっており、後述の搬送チェーン３０に設けられた連結軸４０を回動自在に嵌挿しうる内径に設定されている。
一方、第２軸孔Ｈ２は、図９（ａ）（ｂ）に示すように、上記第１軸孔Ｈ１より大きく、嵌挿する連結軸４０よりチェーン牽引方向に長く、且つその牽引方向に直交する方向に長い略楕円形状に形成されている。
このフィルタープレート１の第１軸孔Ｈ１と第２軸孔Ｈ２との間隔は、後述の搬送チェーン３０を構成するリンクチェーン３１相互を連結する連結軸４０、換言するとリンクチェーン３１に設けられた隣接する軸孔Ａ、軸孔Ｂの間隔と整合するように設定されている。
【００１１】
そこで、図９（ａ）に示す配置構造は、第１軸孔Ｈ１は軸孔Ａと同一の中心線位置に設定し、第２軸孔Ｈ２は軸孔Ｂとその基端位置を整合するように設定されている。
これにより、第２軸孔Ｈ２内で、連結軸４０には前後方向と上下方向にスペースが生じるので、搬送チェーン３０が延びて隣接する連結軸４０間の間隔が長くなっても上記スペースの範囲で対応することができる。
図９（ｂ）に示す配置構造では、第１軸孔Ｈ１および第２軸孔Ｈ２の中心を、それぞれ軸孔Ａと軸孔Ｂの中心線と同一線上に設けるように設定されている。
これによれば逆転時に高速駆動する場合や、搬送チェーンの伸縮した場合に対応することができる。
また、上記実施例では高速搬送時の連結軸の変位に対応した長孔の形状として上下左右を長く形成するために軸孔を楕円形状にしたが、搬送チェーン３０の牽引方向にだけ余裕を持たせるように図１０に示した楕円形状とするものであってもよい。
【００１２】
図１の参考例では、中央枢着部１０と基端枢着部２０とは、取付孔１１、２１を有し、該取付孔１１、２１内に金属製の補強リング１２、２２（説明の便宜上、図中ハッチングを付している）が嵌着固定され、該補強リング１２、２２内に第１軸孔Ｈ１、第２軸孔Ｈ２を形成するプラスチック製の軸孔形成リング１３、２３が嵌着固定される構成からなっている。
【００１３】
本実施例でフィルタープレート１は、中央枢着部１０の厚みと基端枢着部２０の厚みを、重ね合せるフィルタープレート１、１間に所望の間隔が取れるような厚みに構成しており、またフィルタープレート１の中央枢着部１０と他のフィルタープレート１の基端枢着部２０を両者が直接接触するように重ね合わせるようになっている。
そして、前記補強リング１２、２２はその側壁面が水平面に形成されており、プラスチックからなるフィルタープレート１、１相互の摩擦や、砂等の浸入物による摩耗をなくすために設けられている。
【００１４】
この発明の実施例１を示す図３及び図４に示したフィルタープレート１は、同一外径からなる中央枢着部１０と基端枢着部２０には同一内径の取付孔１１、２１を設け、該取付孔１１、２１に隙間無く嵌合する同一径に設定された金属製の補強リング１２、２２を嵌挿し、該補強リング１２、２２内に、外周を同一に設定すると共に円形の第１軸孔Ｈ１を形成したプラスチック製の一方の軸受リング１３と、楕円形の第２軸孔Ｈ２を形成したプラスチック製の他方の軸受リング２３をそれぞれに嵌着固定して構成される。
上記構成では、補強リング１２、２２は同一形状であり、軸受リング１３、２３の嵌着を変えるだけで容易に楕円形の軸孔を有する枢着部と円形の軸孔を有する枢着部とを形成することができる。
【００１５】
ここで、軸受リング１３、２３はプラスチックからなるので成型が容易であると共に滑性を有しているので軸受に優れている。またその外側は前記補強リングにより補強されるので強度を高めうる。更に異なるフィルタープレート１を連結する際に中央枢着部１０の両側に別のフィルタープレート１の基端枢着部２０が直接に衝合する場合、金属製のそれぞれの補強リングが衝合してプラスチックからなる枢着部の摩擦を弱め、また砂などの侵入による摩耗を防ぎうる。
【００１６】
図５に示す実施例２のフィルタープレート１は、第１軸孔Ｈ１と第２軸孔Ｈ２との形状を前記実施例とは逆に形成した構成を示す。
この場合、第２軸孔Ｈ２が円孔からなって搬送チェーン３０の連結軸４０を回動自在に嵌挿しうる内径に設定されており、第１軸孔Ｈ１は、上記第２軸孔より大きく、嵌挿する連結軸４０よりチェーン牽引方向に長く、且つその牽引方向に直交する方向に長い略楕円形状に形成されている。
これにより、第１軸孔Ｈ１内で、連結軸４０には前後方向と上下方向にスペースが生じるので、搬送チェーンの搬送速度が速くなっても、あるいは搬送チェーンが延びて連結軸間の間隔が長くなっても上記スペースの範囲で対応することができる（図９参照、但し図中Ｈ２はＨ１に、Ｈ１はＨ２に読み替える）。
その他の構成は前記実施例と同様であるので説明を省略する。
【００１７】
このフィルタープレート１は、図６から図８に示すように、複数のフィルタープレート１を組み立てて無端帯状のフィルタープレート群１’を形成する。
即ち、１のフィルタープレート１の中央枢着部１０の第１軸孔Ｈ１に、その左右両側で一対の他のフィルタープレート１の基端枢着部２０の第２軸孔Ｈ２を整合し、フィルタープレート１を前後にずらして交互に多数重ね合わせてフィルターを形成すると共に、該重ね合わせた中央枢着部１０の第１軸孔Ｈ１と基端枢着部２０の第２軸孔Ｈ２に連結軸４０を通して、枢動可能に連結する。
この連結軸４０は、フィルタープレート群１’の両側に連結される一対の搬送チェーン３０の各リンクチェーン３１を枢着するためのもので、搬送チェーン３０、３０間に一体に横架されて両側面で対向するリンクチェーン３１を同時に連結する連結軸４０をそのまま用いている。
【００１８】
このフィルタープレート群１’を用いる塵芥除去装置５０は、枠体の左右両側に配置された一対の無端の搬送チェーン３０をそれぞれ駆動スプロケット５１と従動側のガイドローラー５２、５３で所望コーナーを形成しながら循環駆動させる公知構成からなっており、枠体に形成した傾斜面の上部にはその両端近傍に一対に設けられる駆動スプロケット５１を回転させる駆動軸５４が軸支されている。
この駆動軸５４は、チェーンによる伝動装置を介して電動モーター５６によって回転され、同様に伝動装置を介して回転ブラシ５８のブラシ軸５７をも回転する構成となっている。
【００１９】
そして無端帯状のフィルタープレート群１’は、その両側に取り付けられた搬送チェーン３０が前記駆動スプロケット５１と従動側のガイドローラー５２、５３に掛け渡されて下から上に向かう往路と上から下に向かう復路を循環動しうるようになっている。
これによってフィルタープレート１のレーキ部４に引っかかった水中の塵芥等は、該塵芥除去装置５０の上部に向かって搬送され、駆動スプロケツト５１を越えてフィルタープレート群１’が反転する部分で排出されてホッパ等に集収される。
また、ここで落下せずに該フィルタープレート１に貼り付いた塵芥等は復路で回転ブラシ５８によって掻き落とされる。
【００２０】
この発明では塵芥除去装置の用途や構成は前記実施例に限定されるものではなく、要するに搬送チェーンの連結軸またはこの連結軸と同軸に設けられた連結軸によって無端のフィルタープレート群を循環動させる構成であれば如何なる構成であってもよい。
その他、要するにこの発明の要旨を変更しない範囲で種々設計変更しうること勿論である。
【００２１】
【発明の効果】
この発明は、フィルタープレートが搬送チェーンに対して常に従動するように第１軸孔または第２軸孔のいずれか一方を長穴に形成しているので、搬送速度を早くしてもフィルタープレートに余計な負荷がかからず円滑な動きをすることができる。
また、搬送チェーンが伸びて連結軸間の間隔が長くなっても第１軸孔または第２軸孔の長穴によって吸収しうるので、フィルタープレートに過大な負荷がかかる虞れがなくフィルタープレートの破損を防止することができる。
これにより、本件発明によれば、高速搬送を行うことができると共に、信頼性および安定性の高いフィルタープレートおよびこれを用いた除塵除去装置を簡単な構成で提供することができ、極めて有益である。
【図面の簡単な説明】
【図１】  参考例のフィルタープレートの側面図である。
【図２】  同平面図である。
【図３】  第１実施例のフィルタープレートの側面図である。
【図４】  第１実施例のフィルタープレートの枢着部の組立状態を示す側面図である。
【図５】  第２実施例のフィルタープレートの側面図である。
【図６】  フィルタープレートの組立状態を示す側面図である。
【図７】  同平面図である。
【図８】  搬送チェーンとフィルタープレートの関係を示す側面図である。
【図９】  （ａ）は長孔側の軸孔の配置例を示す図、（ｂ）は同異なる実施例の図である。
【図１０】  軸孔の別の楕円形状と連結軸の関係を示す説明図である。
【図１１】  塵芥除去装置の正面図である。
【図１２】  塵芥除去装置の側面図である。
【符号の説明】
１          フィルタープレート
２          基端アーム
３          先端アーム
４          レーキ部
５          突起部
６          掻落し壁部
７          受壁部
１０          中央枢着部
１１          取付孔
１２          補強リング
１３          軸受形成リング
２０          基端枢着部
２１          取付孔
２２          補強リング
２３          軸受形成リング
３０          搬送チェーン
３１          リンクチェーン
４０          連結軸
５０          塵芥除去装置
Ｈ１          第１軸孔
Ｈ２          第２軸孔
【図１】
0004041285.tif 000002
【図２】
0004041285.tif 000003
【図３】
0004041285.tif 000004
【図４】
0004041285.tif 000005
【図５】
0004041285.tif 000006
【図６】
0004041285.tif 000007
【図７】
0004041285.tif 000008
【図８】
0004041285.tif 000009
【図９】
0004041285.tif 000010
【図１０】
0004041285.tif 000011
【図１１】
0004041285.tif 000012
【図１２】
0004041285.tif 000013